(57)【要約】【課題】  本発明は、ユーザーが誤って写真プリントモードを選択した場合でも、画像加熱装置でジャムが発生することを抑制できる画像形成装置を提供することを目的とする。【解決手段】  本発明に係る画像加熱装置の代表的な構成は、記録材に現像剤像を形成するプリンタ部Ａと、表面に熱可塑性樹脂からなる透明樹脂層Ｐｂを設けた記録材Ｐ上のトナー像Ｔを加熱定着するベルト定着装置１１０と、を有する画像形成装置１０において、記録材の種類を判別する抵抗検出装置１２０と、抵抗検出装置１２０の判別した記録材が透明樹脂層Ｐｂを有する記録材Ｐである場合に、記録材Ｐをベルト定着装置１１０へ搬送する切替ガイド１０１と、を有することを特徴とする。【選択図】    図１
2007072159.tif 000002
【特許請求の範囲】
【請求項１】
記録材に現像剤像を形成する画像形成手段と、表面に熱可塑性樹脂からなる樹脂層を設けた記録材上の現像剤像を加熱定着する画像加熱装置と、を有する画像形成装置において、
記録材の種類を判別する記録材判別手段と、
前記記録材判別手段の判別した記録材が前記樹脂層を有する記録材である場合に、前記記録材を画像加熱装置へ搬送する搬送経路切替手段と、
を有することを特徴とする画像形成装置。
【請求項２】
前記記録材判別手段は、記録材の表面抵抗を検出することで記録材の種類を判別することを特徴とする請求項１に記載の画像形成装置。
【請求項３】
前記記録材判別手段は、記録材の検出マークを検出することで記録材の種類を判別することを特徴とする請求項１に記載の画像形成装置。
【請求項４】
前記画像加熱装置が、記録材を加熱後冷却して加熱定着する事を特徴とする請求項１に記載の画像形成装置。
【発明の詳細な説明】
【技術分野】
【０００１】
本発明は、現像剤像を加熱定着する画像加熱装置を備えた画像形成装置に関するものである。
【背景技術】
【０００２】
従来、紙などの記録材基層の上下にトナー受容層（樹脂層）となる熱可塑性樹脂をコーティングした記録材に記録された現像剤像を加熱定着する画像加熱装置がある。かかる画像加熱装置を備えた画像形成装置は、光沢付与処理を与える写真プリントモードを選択することで、記録材を画像加熱装置に搬送するようになっている（特許文献１）。
【０００３】
【特許文献１】特開２００４−１０９８６０号公報
【発明の開示】
【発明が解決しようとする課題】
【０００４】
しかしながら、上記特許文献１に記載の技術では、ユーザーが誤って写真プリントモードを選択し、普通紙を画像加熱装置に搬送してしまった場合に、画像加熱装置でジャムが発生してしまうという問題がある。
【０００５】
そこで本発明は、ユーザーが誤って写真プリントモードを選択した場合でも、画像加熱装置でジャムが発生することを抑制できる画像形成装置を提供することを目的とする。
【課題を解決するための手段】
【０００６】
上記課題を解決するために本発明に係る画像加熱装置の代表的な構成は、記録材に現像剤像を形成する画像形成手段と、表面に熱可塑性樹脂からなる透明樹脂層を設けた記録材上の現像剤像を加熱定着する画像加熱装置と、を有する画像形成装置において、記録材の種類を判別する記録材判別手段と、前記記録材判別手段の判別した記録材が前記透明樹脂層を有する記録材である場合に、前記記録材を画像加熱装置へ搬送する搬送経路切替手段と、を有することを特徴とする。
【発明の効果】
【０００７】
本発明により、ユーザーが誤って写真プリントモードを選択した場合でも、画像加熱装置でジャムが発生することを抑制できる。
【発明を実施するための最良の形態】
【０００８】
[第一実施形態]
以下、図面を参照して、本発明の好適な実施の形態を例示的に詳しく説明する。なお、各図面において同一の符号を付したものは、同一の構成又は作用をなすものであり、これらについての重複説明は適宜省略した。
【０００９】
図１に画像形成装置の一例を示す。図１では、１個の像担持体１と、像担持体１の周囲に備えられた複数の現像器４（現像器４１〜４６）を搭載したロータリ４Ａを使用した電子写真方式のカラープリンタ（以下「画像形成装置」という）を例示している。
【００１０】
まず図１を用いて画像形成装置の概略構成について説明する。画像形成装置１０は、画像形成手段であるデジタルカラー画像プリンタ部（以下「プリンタ部」という）Ａと、プリンタ部Ａの上部に設けられたデジタルカラー画像リーダ部（以下「リーダ部」という）Ｂと、を有している。
【００１１】
プリンタ部Ａには、像担持体としてのドラム型の電子写真感光体（以下「感光ドラム」という）１が矢印方向に回転可能に配設されている。感光ドラム１の周囲には、その回転方向に沿ってほぼ順に、帯電手段としての一次帯電器２、露光手段としてのレーザ露光光学系３、現像手段としての現像装置４、中間転写体としての中間転写ベルト５、クリーニング手段としてのクリーニング装置６等が配設されている。
【００１２】
上述の現像装置４は、回転自在なロータリ４Ａと、これに搭載された複数の現像器を有している。ここでは、複数の現像器として、６個の現像器４１〜４６を例示している。この６個の現像器４には、現像剤として濃シアントナーが収容されたシアン現像器４１、濃マゼンタトナーが収容されたマゼンタ現像器４２、イエロートナーが収容されたイエロー現像器４３、ブラックトナーが収容されたブラック現像器４４、淡シアントナーが収容された淡シアン現像器４５、淡マゼンタトナーが収容された淡マゼンタ現像器４６がある。
【００１３】
つまり、本例の画像形成装置は、マゼンタ、シアンについて、同一色相で明度の異なる組み合わせを有している。すなわち、明度の低いトナー（濃色トナー）として、濃マゼンタ、濃シアンと、明度の高いトナー（淡色トナー）として、淡マゼンタ、淡シアンをそれぞれ収容した濃色トナー現像器４１、４２と、淡色トナー現像器４５、４６との２種類を具備している。ここでは、同一色相で明度の異なる組み合わせのない、イエロー現像器４３とブラックトナー現像器４４も濃色トナー現像器とする。
【００１４】
なお、同一色相で明度の異なるトナーとは、通常、樹脂と発色成分（顔料）とを基体とするトナーの中に含まれる発色成分（顔料）の分光特性が等しく、その量が異なるトナーをいう。明度の高いトナーとは、同一色相で明度の異なるトナーの組み合わせの中、濃度が相対的に低い方のものをいう。
【００１５】
又、同一色相とは、上述のように、発色成分（顔料）の分光特性が同一であるものを言うが、厳密に同一でなくても、一般的にマゼンタ、シアン、イエロー、ブラック等のように、通常の色概念上同一色と呼べる範囲とする。同一色相で明度の高いトナーは記録材上でのトナー量が０．５ｍｇ／ｃｍ２につき、定着後の光学濃度が１．０未満であり、低いトナーとは記録材上でのトナー量が０．５ｍｇ／ｃｍ２につき、定着後の光学濃度が１．０以上である。本例では、濃色トナーである、濃シアン、濃マゼンタ、イエロー、ブラックは、トナーの記録材上での載り量が０．５ｍｇ／ｃｍ２の際に定着後光学濃度が１．６となるように顔料の量を調整している。又、淡色トナーである、淡シアン、淡マゼンタは載り量０．５ｍｇ／ｃｍ２で定着後の光学濃度が０．９となるように設計されている。この濃淡２種類のトナーをうまく混合させて、それぞれの色のトナーの階調を再現している。
【００１６】
又、前記各現像器４１〜４６に収容されている現像剤は、トナーとキャリアを混合させて用いる二成分現像剤であるが、トナーのみの一成分現像剤でも問題はない。又、トナーの種類として、明度の異なる組み合わせをシアンとマゼンタの２色に関して備えているが、その２種類に限るわけではなく、シアンのみ、マゼンタのみ、イエローのみ等でも、全色に明度の異なる組み合わせを備えてもかまわない。つまり、どの色相に明度の異なる組み合わせを備えても良い。又、それにより、現像器の数は本例では６個であるが、これに限るものではない。
【００１７】
上述の中間転写ベルト５は、駆動ローラ５１、テンションローラ５２、５４、二次転写対向ローラ５３に掛け渡されている。また、中間転写ベルト５の内側には、中間転写ベルト５を感光ドラム１に押圧する一次転写ローラ５０が配設されている。また、中間転写ベルト５の外側の二次転写対向ローラ５３に対応する位置には二次転写ローラ５５が配設されている。
【００１８】
また、プリンタ部Ａの下部には、画像形成対象となる記録材の搬送方向に沿って、その上流側から順に、給送カセット１１、１２、１３、給送ローラ１４、１５、１６、搬送ローラ１７、１８、１９、レジストローラ２０が配設されている。更に、ローラ２２、２３に掛け渡された搬送ベルト２１、第１の画像加熱装置としての熱ローラ定着装置９、排出ローラ２４などが配設されている。熱ローラ定着装置９は、定着ローラ９１と加圧ローラ９２と定着ローラクリーナ９３が配設されている。また、プリンタ部Ａには、両面搬送パス２５、手差しトレイ２６、給送ローラ２７などが配設されている。
【００１９】
レジストローラ２０の搬送方向上流側に、記録材判別手段である抵抗検出装置１２０が配置されている。抵抗検出装置１２０は、記録材の表面抵抗を検出することで記録材の種類を判別する。
【００２０】
リーダ部Ｂには、原稿台ガラス３１、原稿押圧板３２、露光ランプ３３、反射ミラー３４、３５、３６、レンズ３７、フルカラーＣＣＤセンサ３８等が配設されている。
【００２１】
上記画像形成装置において、画像形成時には、リーダ部Ｂにおいて、原稿をその画像面を下方に向けた状態で原稿台ガラス３１上に載せ、原稿押圧板３２で押圧する。この原稿の画像面を露光ランプ３３により露光走査する。原稿からの反射光像をレンズ３７によりフルカラーＣＣＤセンサ３８に集光し、カラー色分解画像信号を得る。カラー色分解画像信号は増幅回路（不図示）を経て、ビデオ処理ユニット（不図示）にて画像処理を施され画像メモリ（不図示）を介してプリンタ部Ａに送出される。
【００２２】
プリンタ部Ａには、リーダ部Ｂからの信号のほか、外部機器としてのコンピュータからの画像信号、ＦＡＸからの画像信号なども同様に送出されてくる。
【００２３】
ここでは、その代表としてリーダ部Ｂからの信号に基づくプリンタ部Ａの動作を説明する。
【００２４】
画像形成時に感光ドラム１は、駆動手段（不図示）によって矢印方向に所定のプロセススピード（周速度）で回転駆動され、その表面が一次帯電器２によって所定の極性・電位に一様に帯電される（帯電工程）。
【００２５】
帯電後の感光ドラム１表面は、レーザ露光光学系３によって静電潜像が形成される。リーダ部Ｂからの画像信号は、レーザ出力部（不図示）にて光信号に変換される。光信号に変換されたレーザ光はポリゴンミラー３ａで反射され、レンズ３ｂ及び各反射ミラー３ｃを経て帯電後の感光ドラム１表面に照射される。これにより、それぞれの分解色毎に、レーザ露光光学系３により露光し、感光ドラム１上に静電潜像を形成する（露光工程）。
【００２６】
次に、ロータリ４Ａを回転させ、所定の現像器を感光ドラム１上の現像位置に移動させる。そして、その現像位置における現像器を作動させて、感光ドラム１上の潜像を現像し、感光ドラム１上に樹脂と顔料を基体とした現像剤像（トナー像）を形成する（現像工程）。
【００２７】
なお、各現像器内のトナーは、レーザ露光光学系３上部に配置された各色毎のトナー収容部（ホッパー）６１〜６６から各現像器４１〜４６内のトナー比率（又はトナー量）を一定に保つように所望のタイミングにて随時補給される。また、感光ドラム１上には、濃度検知手段であるフォトセンサ７０が配置され、感光ドラム１上のトナー量を検知することが可能となっている。
【００２８】
こうして感光ドラム１上に形成されたトナー像は、一次転写ローラ５０により、中間転写ベルト５上に一次転写される（一次転写工程）。トナー像転写後の感光ドラム１は、表面に残ったトナー（残留トナー）がクリーニング装置６によって除去され（クリーニング工程）、次の色の画像形成に供される。前述した帯電、露光、現像、一次転写、クリーニングの各画像形成プロセスを、６色の中から必要色について同様に繰り返す。これにより、中間転写ベルト５上で複数色のトナー像が重ね合わされる。
【００２９】
こうして中間転写ベルト５上で重ね合わされたトナー像は、二次転写ローラ５５によって記録材上に一括して二次転写される。記録材Ｐは、給送カセット１１〜１３から選択的に給送され、レジストローラ２０によって中間転写ベルト５上のトナー像とタイミングを合わせるようにして、中間転写ベルト５と二次転写ローラ５５との間の二次転写部に供給される。トナー像転写後の中間転写ベルト５は、表面に残ったトナー（残留トナー）がベルトクリーナ５６によって除去されて、次の一次転写に供される。
【００３０】
なお、中間転写ベルト５において、従動ローラ５２の対向には、感光ドラム１から転写された画像の位置ズレおよび濃度の検知を行う検知センサ５７が配置されている。そして、検知センサ５７の検知結果により画像形成装置本体制御部（不図示）にて、随時画像濃度、トナー補給量、画像書き込みタイミング、及び画像書き込み開始位置等に対して補正を行っている。
【００３１】
前述の如くしてトナー像が転写された記録材Ｐは、搬送ベルト２１によって熱ローラ定着装置９に搬送される。記録材Ｐは、熱ローラ定着装置９において、定着ローラ９１とこれに押圧されている加圧ローラ９２との間の定着ニップ部に供給されて加熱・加圧され、表面にトナー像が定着される。これにより、記録材Ｐの片面に対する画像形成が終了する。
【００３２】
また、記録材Ｐの両面に画像を形成する場合には、熱ローラ定着装置９を記録材Ｐが通過後すぐに搬送パスガイド（不図示）を駆動し、記録材Ｐを搬送パス２８を経て反転パス２９に一旦導く。その後、記録材Ｐを、反転ローラ３０の逆転により、送り込まれた際の後端を先頭にして、送り込まれた方向と反対向きに退出させ、両面搬送パス２５へと送る。その後、記録材Ｐは、両面搬送パス２５を通過し、両面搬送ローラにて斜行補正とタイミング取りが行われ、所望のタイミングにてレジストローラ２０へと搬送される。その後、再び上述した画像形成プロセスによってもう一方の面にトナー像が転写され、その後、定着される。これにより、記録材Ｐの両面に対する画像形成が終了する。
【００３３】
（オプションユニット１００）
更に、前述の画像形成装置には、図１に示すように、表面に熱可塑性樹脂からなる透明樹脂層Ｐｂを設けた記録材（フォトメディア）用の第２の画像加熱装置１１０を備えたオプションユニット１００が着脱自在に装着されている。即ち、図１の画像形成装置には、前述した第１の画像加熱装置としての熱ローラ定着装置９と、後述する第２の画像加熱装置としてのベルト定着装置１１０が搭載されている。
【００３４】
ここで、ベルト定着装置１１０を備えたオプションユニット１００の詳細について説明する。
【００３５】
オプションユニット１００には、ベルト定着装置１１０の他に、切替ガイド１０１が配置されている。この切替ガイド１０１は、熱ローラ定着装置９にて定着処理された記録材Ｐを、オプションユニット１００の上面に設けられた排出トレイ１０２に向けてそのまま搬送するか、ベルト定着装置１１０を経由するようにベルト定着装置１１０に向けて搬送するかを切り替える。またオプションユニット１００の側面には、ベルト定着装置１１０にて定着処理された記録材Ｐを載置する排出トレイ１０３が配置されている。その他、記録材Ｐを搬送するためのローラ対１０４、１０５、１０６が適所に配置されている。
【００３６】
図２にベルト定着装置１１０の模式断面図を示す。ベルト定着装置１１０は、熱源を有する加熱回転体としての定着ローラ１１１と、定着ローラ１１１から所定間隔を保ち配設された分離ローラ１１２と、を有している。この２本のローラ１１１、１１２間に無端状のベルト部材としての定着ベルト１１４を懸回張設してある。この定着ベルト１１４を挟んで定着ローラ１１１の対向位置には、加圧回転体としての加圧ローラ１１５が圧接されている。また、定着ベルト１１４の内側で、定着ローラ１１１と分離ローラ１１２との間に、定着ベルト１１４に密着した記録材Ｐを冷却するための冷却手段としての冷却ファン１１６が設けられている。
【００３７】
定着ローラ１１１、加圧ローラ１１５の内部には、熱源（ローラ加熱ヒータ）としてのハロゲンランプ１１７、１１８が配設されている。なお、熱源としてはハロゲンヒータに限らず、定着ローラを励磁コイルから生じた磁束により電磁誘導加熱する構成のものを採用しても構わない。
【００３８】
定着ローラ１１１と加圧ローラ１１５は定着ベルト１１４を挟んで所定の押圧力で圧接させて記録材搬送方向において所定幅の加熱・加圧部としての定着ニップ部Ｎを形成している。ハロゲンランプ１１７、１１８は、定着ニップ部Ｎでの温度が１８０℃となるように設定してある。
【００３９】
定着ベルト１１４は、記録材Ｐに形成された画像と密着するベルト表面が、高光沢画像を形成するために鏡面状とされている。本例の定着ベルト１１４は、ポリイミド樹脂の上にシリコンゴムを弾性層として持ち、その上に離型層としてポリイミドシリコン樹脂を皮膜してなる。
【００４０】
冷却ファン１１６は、定着ベルト１１４に接触して定着ベルト１１４の熱を冷却するフィン１１６ａを有している。このフィン１１６ａを有する冷却ファン１１６により、定着ベルト１１４は所定の温度まで強制的に冷却される。なお、冷却手段としては、上述のフィンを有する冷却ファンに限らず、定着ベルトに非接触で冷却する冷却ファンのみの構成であっても良い。また定着ベルトに接触して冷却する、ペルチェ素子、ヒートパイプ、水の循環型冷却装置を用いても良い。
【００４１】
このようなベルト冷却定着装置に用いる記録材Ｐは、紙などの記録材基層Ｐａの上下にポリエチレンなどの樹脂をコーティングした（レジンコートペーパーなど）記録材Ｐ上にトナーと相溶性の良いポリエステル樹脂（トナーと同じ樹脂）を塗工してなる（Pb）。ポリエステル樹脂の量は約１５ｇ／ｍ２で、記録材全体の坪量として２００ｇ／ｍ２としてなる。
【００４２】
このような記録材上に、前述した画像形成方法にてトナー像を形成する。すなわち、ポリエステル樹脂層上にトナー像を形成し、画像形成装置本体１０の熱ローラ定着装置９にて定着を行う。図３（ａ）に示すように、この状態では、トナー像Ｔはポリエステル樹脂層上に固着しているのみの状態である。その後、図２のベルト定着装置１１０に進入させる。
【００４３】
定着ローラ１１１は駆動機構（不図示）により時計回り方向に所定の速度で回転駆動される。この定着ローラ１１１の回転駆動により定着ベルト１１４が時計回り方向に所定の速度（本例では５０ｍｍ／ｓ）で回動する。分離ローラ１１２、加圧ローラ１１５は定着ベルト１１４の回転に伴い従動回転する。分離ローラ１１２は定着ベルト１１４に所定の張力を与えるテンションローラの機能も兼ねている。
【００４４】
ベルト定着装置１１０に送られた記録材Ｐは、定着ニップ部Ｎの定着ベルト１１４と加圧ローラ１１５の間に導入されて定着ニップ部Ｎを挟持搬送される。その際、定着ローラ１１１と加圧ローラ１１５からの熱により、樹脂層Ｐｂの温度が上昇してトナーＴと共に軟らかくなり、さらに定着ローラ１１１と加圧ローラ１１５との圧力が加わることにより、図３（ｂ）に示すように、トナー像Ｔがその高温の透明樹脂層中に埋没される。同時に、記録材Ｐは定着ベルト１１４の表面に密着する。この時、トナー像Ｔを有する記録材表面は定着ベルト１１４の表面性に沿うように均一化される。
【００４５】
トナー像Ｔが透明樹脂層中に埋め込まれた記録材Ｐは、定着ベルト１１４表面に密着したまま、分離ローラ１１２による分離部に至るまで搬送される。この定着ベルト１１４に密着した状態の記録材Ｐは分離部に至るまでの間（冷却領域）に、冷却ファン１１６により効率よく強制的に冷却される。すなわち、トナー像は、トナーの軟化点温度（ガラス転移点温度）よりも低い温度（約５０℃）に冷却される。これによって、定着ベルト表面の離型性と相まって、記録材Ｐが定着ベルト１１４から剥がれやすい状態になる。
【００４６】
そして、図４に示すように、定着ベルト１１４の表面に密着された記録材Ｐは冷却領域で十分に冷却されてから分離ローラ１１２により定着ベルト１１４の曲率が変化する分離部にて定着ベルト１１４から自らの剛性（こし）により剥離（曲率分離）される。
【００４７】
このように冷却分離を施すことにより、記録材Ｐの表面が定着ベルト１１４の鏡面状の表面とほぼ対応して凹凸のない状態に仕上げることが可能となる。従って、前述のベルト定着装置１１０を使用すれば、銀鉛写真に匹敵する光沢度を備えた高品質画像を得ることができる。
【００４８】
（記録材判別手段）
抵抗検出装置１２０は、給送した記録材がレジストローラ２０に突き当たって停止した際に、記録材表面の抵抗を検出し、ＣＰＵに抵抗値を信号として送信する。
【００４９】
ＣＰＵは、抵抗値から記録材の種類（フォトメディアであるか否か）を判断する。そして、フォトメディアの場合には記録材をベルト定着装置１１０に搬送し、普通紙の場合にはそのまま機外に排出するように、搬送経路切替手段である切替ガイド１０１を回動させて記録材の搬送経路を切り替える。なお、搬送経路切替手段は、切替ガイド１０１に限定されるものではなく、
図５は記録材判別手段の構成図である。図５に示すように、記録材判別手段である抵抗検出装置１２０は、２本の電極棒１２１、１２２、抵抗検知回路１２３、増幅回路１２４を有している。
【００５０】
抵抗検出装置１２０は、移動手段であるソレノイド等（不図示）により、２本の電極棒１２１、１２２が記録材から離間した状態（図５（ａ）の状態）と、２本の電極棒１２１、１２２が記録材に当接した状態（図５（ｂ）の状態）に移動可能である。
【００５１】
図６に示すように、抵抗検知回路１２３は、電極棒１２１、１２２を記録材の片面（記録面）に当接した状態で、回路の抵抗Ｒ２（１００ＭΩ）と記録材の表面抵抗Ｒ１が直列になるようにして、５Ｖの電圧をかけて、抵抗Ｒ１、Ｒ２の間の検知電圧を検知する。この検知電圧は増幅回路１２４で１０５倍に増幅され出力電圧としてＣＰＵのＡＤ入力部（不図示）へ送られる。なお、本回路は、5V以上は出力が制限されるように、クランプされている。
【００５２】
図７に示すように、普通紙は、表面抵抗Ｒ１が１０１１〜１０１３で（ケースによっては11乗以下も発生）、、出力電圧が約５Ｖとなる。一方、表層（記録面）に抵抗層としての樹脂層を設けたフォトメディアの記録面は、表面抵抗Ｒ１が１０１４で、出力電圧が０．５Ｖとなる。
【００５３】
すなわち、絶縁性表面のフォトメディアの記録面では、低い出力電圧が得られ、低い抵抗の普通紙の場合、高い出力電圧が得られる。この出力電圧の違いに基づいて、出力電圧が１Ｖ以上の場合には、普通紙と判断しそのまま機外へ排出する。一方、出力電圧が１Ｖ以下の場合には、フォトメディアと判断しベルト定着装置１１０へ搬送する。
【００５４】
ここで、ベルト定着装置１１０は、定着条件が、フォトメディア専用に条件出しされている。このため、普通紙（薄紙）をベルト定着装置１１０に搬送すると、加熱定着後、紙のこしで分離する力がなく、定着ベルト１１４に巻きついて剥れず、ジャムが発生する。
【００５５】
また、普通紙（厚紙）をベルト定着装置１１０に搬送すると、加熱量が不足し、トナーが溶けずに定着ベルト１１４上にオフセットする。このオフセットしたトナーは、次の記録材に転写され、画像欠陥となる。
【００５６】
従って、上述のごとく、ユーザーが誤って写真プリントモードを選択した場合でも、抵抗検出装置１２０により記録材の種類を判別でき、フォトメディアのみベルト定着装置１１０に搬送する。これにより、ベルト定着装置１１０でジャムが発生することを抑制できる。また、オフセットしたトナーは、次の記録材に転写され、画像欠陥となることを抑制できる。
【００５７】
また、前述した実施の形態では、無端状のベルト部材を備えた画像加熱装置として、画像形成装置本体に対して着脱自在な画像加熱装置を例示したが、本発明はこれに限定されるものではない。例えば、画像形成装置が一体的に有する画像加熱装置であっても良く、該画像加熱装置に本発明を適用することにより同様の効果を得ることができる。
【００５８】
また前述した実施の形態では、画像形成装置として、図１に示すように複数の現像器を回転体で支持し、この回転体を回転移動させて所定の現像器を使用するロータリ型の画像形成装置を例示したが、これに限定されるものではない。例えば、図８に示すように複数の現像器を並設して使用するタンデム型の画像形成装置であっても良い。また、図１及び図８に示すように、中間転写体を使用し、該中間転写体に必要色のトナー像を順次重ねて転写し、該中間転写体に担持されたトナー像を記録材Ｐに一括して転写する画像形成装置に限定されるものではない。例えば、記録材担持体を使用し、該記録材担持体に担持された記録材Ｐに必要色のトナー像を順次重ねて転写する画像形成装置であっても良い。また、画像形成装置としてプリンタを例示したが、本発明はこれに限定されるものではなく、例えば複写機、ファクシミリ装置等の他の画像形成装置や、或いはこれらの機能を組み合わせた複合機等の他の画像形成装置であっても良い。これらの画像形成装置に用いられる、無端状ベルト部材を備えた画像加熱装置に本発明を適用することにより同様の効果を得ることができる。
【００５９】
また、現像器が収容する現像剤の色相や数はこれに限定されず、明度の違う組み合わせを有する色相も、マゼンタやシアンに限らない。
【００６０】
また、前記検出方法の抵抗の設定など、表面抵抗を測定する原理に基づけば、この回路に限定されるものではない。
【００６１】
その他、以上に説明した画像形成装置の構成部品の寸法、材質、形状、及びその相対位置などは、特に特定的な記載がない限りは、この発明の範囲をそれらのみに限定する趣旨のものではない。
【００６２】
[第二実施形態]
次に本発明に係る画像形成装置の第二実施形態について図を用いて説明する。図９は本実施形態にかかる記録材判別手段の説明図である。上記第一実施形態と説明の重複する部分については、同一の符号を付して説明を省略する。
【００６３】
図９に示すように、本実施形態にかかる画像形成装置は、記録材判別手段として、抵抗検出装置１２０に変えてマーク検出装置１４０を設けたものである。
【００６４】
マーク検出装置１４０は、レジストローラ２０の搬送方向上流側に配置されている。マーク検出装置１４０は、記録材Ｐの裏面（非記録面）に設けられた検出マークＭを検出することで記録材の種類を判別する。
【００６５】
本実施形態では、検出マークＭはフォトメディアの裏面に設けている。そして、検出マークＭを検出した場合には、フォトメディアと判断し、切替ガイド１０１を回動してベルト定着装置１１０へ記録材Ｐを搬送する。一方、マーク検出装置１４０で検出マークＭが検出されない場合には、普通紙と判断し、切替ガイド１０１を回動してそのまま機外へ排出する。なお、検出マークＭが画像に影響しないものである場合には、検出マークＭを記録材Ｐの表面（記録面）に設けてもよい。
【図面の簡単な説明】
【００６６】
【図１】画像形成装置の一例を示す概略構成図である。
【図２】ベルト定着装置の模式断面図である。
【図３】（ａ）第１の画像加熱装置で定着後のトナーの定着状態を示す記録材の断面図である。（ｂ）第２の画像加熱装置で定着後のトナーの定着状態を示す記録材の断面図である。
【図４】記録材の分離を説明するベルト定着装置の模式断面図である。
【図５】（ａ）記録材から離間した状態の記録材判別手段の構成図である。（ｂ）記録材に当接した状態の記録材判別手段の構成図である。
【図６】記録材判別手段の構成図である。
【図７】普通紙とフォトメディアの抵抗値、出力電圧等を示す図である。
【図８】画像形成装置の他の例を示す概略構成図である。
【図９】第二実施形態にかかる記録材判別手段の説明図である。
【符号の説明】
【００６７】
Ａ…プリンタ部、Ｂ…リーダ部、Ｄ…原稿、Ｍ…検出マーク、Ｎ…定着ニップ部、Ｐ…記録材、Ｒ１、Ｒ２…抵抗、１…像担持体、２…一次帯電器、３…レーザ露光光学系、３ａ…ポリゴンミラー、３ｃ…反射ミラー、４…現像器、４Ａ…ロータリ、５…中間転写ベルト、６…クリーニング装置、９…熱ローラ定着装置、１０…画像形成装置、１１〜１３…給送カセット、１４〜１６…給送ローラ、１７〜１９…搬送ローラ、２０…レジストローラ、２１…搬送ベルト、２２、２３…ローラ、２４…排出ローラ、２５…両面搬送パス、２６…手差しトレイ、２７…給送ローラ、２８…搬送パス、２９…反転パス、３０…反転ローラ、３１…原稿台ガラス、３４〜３６…反射ミラー、３７、３ｂ…レンズ、３８…センサ、４１〜４６…現像器、５０…一次転写ローラ、５１…駆動ローラ、５２…テンションローラ、５３…二次転写対向ローラ、５４…テンションローラ、５５…二次転写ローラ、５７…検知センサ、６１〜６６…トナー収容部、８１…ガイド部材、８１ａ…ガイド部材、８１ｂ…ガイド部材、１００…オプションユニット、１０１…切替ガイド、１０２、１０３…排出トレイ、１０４〜１０６…ローラ対、１１０…ベルト定着装置（画像加熱装置に対応）、１１１…定着ローラ、１１２…分離ローラ、１１４…定着ベルト（ベルト部材に対応）、１１６…冷却ファン、１１６ａ…フィン、１１７…ハロゲンランプ、１２０…抵抗検出装置、１２１、１２２…電極棒、１２３…抵抗検知回路、１２４…増幅回路
【図１】
2007072159.tif 000003
【図２】
2007072159.tif 000004
【図３】
2007072159.tif 000005
【図４】
2007072159.tif 000006
【図５】
2007072159.tif 000007
【図６】
2007072159.tif 000008
【図７】
2007072159.tif 000009
【図８】
2007072159.tif 000010
【図９】
2007072159.tif 000011